(57)【特許請求の範囲】
【請求項１】
被験者に装着して心電図を計測するための計測電極を提供する心電計測布であって、
複数の計測電極を所定の位置に配置する電極配置部と、
前記電極配置部を被験者の所定の位置に固定する保持部とを含み、
前記電極配置部及び前記保持部は一枚の布帛に一体に含まれ、前記複数の計測電極は導電性糸により形成され、
被験者の腋下と当接することにより位置合わせする第１の位置基準部と、被験者の正中線に合わせることにより位置合わせする第２の位置基準部とを含む心電計測布。
【請求項２】
前記電極配置部は心電計に接続される端子部をさらに含み、前記端子部と前記複数の計測電極は導電性糸の導線により接続された請求項１に記載の心電計測布。
【請求項３】
前記一枚の布帛は、導電性糸及び非導電性糸からジャカード織機により作製された請求項１又は２に記載の心電計測布。
【請求項４】
前記導電性糸及び非導電性糸は、撚糸である請求項３に記載の心電計測布。
【請求項５】
前記電極配置部は、標準１２誘導法による６個の胸部電極に相当する計測電極を含む請求項１から４のいずれかに記載の心電計測布。
【請求項６】
前記電極配置部は、標準１２誘導法による４個の四肢電極に相当する計測電極を含む請求項１から５のいずれかに記載の心電計測布。
【請求項７】
前記布帛は略矩形の形状を有し、長手方向の一端付近及び他端の付近に互いに着脱可能に接続する接続部を有する請求項１から６のいずれかに記載の心電計測布。
【請求項８】
被験者の胴体に巻回し、前記接続部を接続して被験者に装着する請求項７に記載の心電計測布。
【請求項９】
前記接続部は、平面ファスナーである請求項７又は８に記載の心電計測布。
【請求項１０】
前記布帛は、筒状の形状を有する請求項１から６のいずれかに記載の心電計測布。
【請求項１１】
被験者の胴体を筒状の形状の内部に収めて被験者に装着する請求項１０に記載の心電計測布。
【請求項１２】
被験者に装着して心電図を計測するための計測電極を提供する心電計測布であって、
複数の計測電極を所定の位置に配置する電極配置部を含み、
前記電極配置部は一枚の布帛に含まれ、前記複数の計測電極は導電性糸により形成され、
被験者の腋下と当接することにより位置合わせする第１の位置基準部と、被験者の正中線に合わせることにより位置合わせする第２の位置基準部とを含む心電計測布。
【請求項１３】
前記電極配置部は心電計に接続される端子部をさらに含み、前記端子部と前記複数の計測電極は導電性糸の導線により接続された請求項１２に記載の心電計測布。
【請求項１４】
前記一枚の布帛は、導電性糸及び非導電性糸からジャカード織機により作製された請求項１２又は１３に記載の心電計測布。
【請求項１５】
前記導電性糸及び非導電性糸は、撚糸である請求項１４に記載の心電計測布。
【請求項１６】
前記布帛は前見頃に相当する部分を形成し、前記布帛には前記電極配置部を被験者の所定の位置に固定するベルトが取り付けられた請求項１２から１５のいずれかに記載の心電計測布。
【発明の詳細な説明】
【技術分野】
【０００１】
本発明は、心電図を計測するための計測電極を提供する心電計測布に関する。
【背景技術】
【０００２】
従来、虚血性心疾患においては、救命率を向上させるため、発症から速やかに経皮的冠動脈形成術（percutaneous coronary angioplasty：ＰＣＡ）を施す必要があることが知られている。例えば、ＳＴ型上昇心筋梗塞（ST-segment elevation myocardial infarction：ＳＴＥＭＩ）の場合には、救急搬送の１０分以内に１２誘導心電図により診断し、ＰＣＡを施行する医療機関に搬送することが望まれる。このためには、被験者に心電計の計測電極を速やかに適切に取り付けることが必要である。
【０００３】
一方、西陣織の技術によりジャカード織機を用いて導電性糸及び非導電性糸を綴れ織りし、一枚の布帛に電極及び配線を一体に形成する技術が提供されている（特許文献１及び２、非特許文献１を参照）。
【先行技術文献】
【特許文献】
【０００４】
【特許文献１】特開２０１１−１５８１７号公報
【特許文献２】特開２０１１−１５８１８号公報
【非特許文献】
【０００５】
【非特許文献１】Kuroda et al. Applying NISHIJIN Historical Textile Technique for e-Textile. Proc. EMBC 2013; 4646-9
【発明の概要】
【発明が解決しようとする課題】
【０００６】
しかしながら、救急現場において被験者に適切に心電図の計測電極を取り付けることは困難であり、救急搬送における心電図計測は普及に至っていなかった。
【０００７】
この発明は、上述の実情に鑑みて提案されるものであって、被験者に心電図の計測電極を適切に速やかに取り付けることを可能にするような心電計測布を提供することを目的とする。
【課題を解決するための手段】
【０００８】
上述の課題を解決するために、この出願に係る心電計測布は、被験者に装着して心電図を計測するための計測電極を提供する心電計測布であって、複数の計測電極を所定の位置に配置する電極配置部と、前記電極配置部を被験者の所定の位置に固定する保持部とを含み、前記電極配置部及び前記保持部は一枚の布帛に一体に含まれ、前記複数の計測電極は導電性糸により形成されたものである。
【０００９】
前記電極配置部は心電計に接続される端子部をさらに含み、前記端子部と前記複数の計測電極は導電性糸の導線により接続されたことが好ましい。被験者の腋下と当接することにより位置合わせする第１の位置基準部と、被験者の正中線に合わせることにより位置合わせする第２の位置基準部とを含むことが好ましい。
【００１０】
前記一枚の布帛は、導電性糸及び非導電性糸からジャカード織機により作製された平織であることが好ましい。前記導電性糸及び非導電性糸は、撚糸であることが好ましい。
【００１１】
前記電極配置部は、標準１２誘導法による６個の胸部電極に相当する計測電極を含むことが好ましい。前記電極配置部は、標準１２誘導法による４個の四肢電極に相当する計測電極を含むものであってもよい。
【００１２】
前記布帛は略矩形の形状を有し、長手方向の一端付近及び他端の付近に互いに着脱可能に接続する接続部を有することが好ましい。被験者の胴体に巻回し、前記接続部を接続して被験者に装着することが好ましい。前記接続部は、平面ファスナーであることが好ましい。
【００１３】
前記布帛は、筒状の形状を有することが好ましい。被験者の胴体を筒状の形状の内部に収めて被験者に装着することが好ましい。
【００１４】
また、この出願に係る心電計測布は、被験者に装着して心電図を計測するための計測電極を提供する心電計測布であって、複数の計測電極を所定の位置に配置する電極配置部を含み、前記電極配置部は一枚の布帛に含まれ、前記複数の計測電極は導電撚糸により形成されたものである。
【００１５】
前記電極配置部は心電計に接続される端子部をさらに含み、前記端子部と前記複数の計測電極は導電撚糸の導線により接続されたことが好ましい。被験者の腋下と当接することにより位置合わせする第１の位置基準部と、被験者の正中線に合わせることにより位置合わせする第２の位置基準部とを含むことが好ましい。
【００１６】
前記一枚の布帛は、導電性糸及び非導電性糸からジャカード織機により作製された平織であることが好ましい。前記導電性糸及び非導電性糸は、撚糸であることが好ましい。
【００１７】
前記布帛は前見頃に相当する部分を形成し、前記布帛には前記電極配置部を被験者の所定の位置に固定するベルトが取り付けられたことが好ましい。
【発明の効果】
【００１８】
本発明によると、心電図の計測電極を被験者に適切に速やかに取り付けることができる。ひいては、救急搬送における１２誘導心電図などによる診断を可能にすることにより、虚血性心疾患を発症した患者の救命に貢献することができる。
【図面の簡単な説明】
【００１９】
【図１】第１の実施の形態の心電計測布の構成を示す図である。
【図２】被験者が心電計測布を装着した状態を示す模式図である。
【図３】計測電極の一例を示す写真である。
【図４】変形例の心電計測布を示す図である。
【図５】第２の実施の形態の心電計測布を示す図である。
【図６】第２の実施の形態の心電計測布を示す写真である。
【発明を実施するための形態】
【００２０】
以下、第１及び第２の実施の形態に係る心電計測布について図面を参照して詳細に説明する。なお、図面において示す心電計測布の寸法、使用態様等は一例を示すものであり、本発明は図面の内容に限定されるものではない。
【００２１】
（第１の実施の形態）
第１の実施の形態は、被験者に装着して心電図を計測するための計測電極を提供し、複数の計測電極を所定の位置に配置する電極配置部と、電極配置部を被験者の所定の位置に固定する保持部とを含み、電極配置部及び保持部は一枚の布帛に一体に含まれ、前記複数の計測電極は導電性糸により形成されている。
【００２２】
図１は、第１の実施の形態の心電計測布を示す図である。図１（ａ）は心電計測布１０の正面図であり、図１（ｂ）は心電計測布１０の背面図である。
【００２３】
第１の実施の形態の心電計測布１０は、略矩形で横長の一枚の布帛によって形成されている。この布帛は平織であり、先行技術で提供されている西陣織の技術によりジャカード織機を用いて導電撚糸及び非導電撚糸から綴れ織りし、導電撚糸が電極及び配線の所定のパターンを形成するように非導電撚糸に折り込んだものである。
【００２４】
第１の実施の形態では、導電撚糸に直径１００μｍの銀メッキ繊維を用い、非導電撚糸に１５０〜５００デニールのポリエステルまたはレーヨン繊維を用いている。
【００２５】
心電計測布１０は、布帛の長手方向に一端から略中央までが複数の計測電極２１を配置した電極配置部１１を構成している。また、略中央から他端までが、心電計測布１０を被験者に装着するときに、被験者の胴体に巻回されて電極配置部１１を胴体の適切な位置に固定する保持部１２を構成している。
【００２６】
心電計測布１０の一端と他端は、心電計測布１０が被験者の胴体に巻回されるときに互いに接続して固定する接続部１６を有している。接続部１６は、表面１０ａの一端付近に設けられた第１の平面ファスナー１８と、裏面１０ｂの他端付近に設けられた第２の平面ファスナー１９を有している。これら第１の平面ファスナー１８及び第２の平面ファスナー１９は、例えばベルクロ（登録商標）で構成され、所定の力を加えることによって互いに着脱することができる。第２の平面ファスナー１９は、第１の平面ファスナー１８を着脱する位置を調整できるように、第１の平面ファスナー１８よりも幅広に形成されている。
【００２７】
電極配置部１１の裏面１０ｂには、所定の位置に導電撚糸による第１〜１０計測電極２１１〜１０が形成されている。これらの計測電極２１の内、第３〜８計測電極２１３〜８は、標準１２誘導法で規定された６個の胸部電極に対応している。第１、２、９、１０計測電極２１１，２，９，１０は標準１２誘導法で規定された四肢電極に相当するものであり、電極配置部１１において、被験者の前面に対応する部分の四端近くに形成されている。なお、第９〜１０計測電極２１９〜１０は、被験者の脇腹の部分に形成してもよい。
【００２８】
電極配置部１１の表面１０ａの下端近くには、第１〜１０計測電極２１１〜１０と導電撚糸による配線２３によって接続され、第１〜１０計測電極２１１〜１０で計測した電圧を出力する端子部２５が設けられている。端子部２５は、心電計と接続できるように、例えばバナナジャックなどの所定の規格を採用している。
【００２９】
心電計測布１０の上端は、電極配置部１１において第１〜２計測電極２１１〜２が配置された部分を除いて、この心電計測布１０の長手方向に延びる第１の位置基準部３１を形成している。この第１の位置基準部３１は、心電計測布１０を被験者に装着するときに腋下に当接できるように、電極配置部１１において第１〜２計測電極２１１〜２が配置された部分の上端から、心電計測布１０の下端方向に所定距離だけ離間している。
【００３０】
また、心電計測布１０の表面１０ａの電極配置部１１における略中央には、この心電計測布１０の長手方向に直交して上端から下端まで伸びる基準線による第２の位置基準部３２が形成されている。この第２の位置基準部３２は、心電計測布１０を被験者に装着するとき正中線に合わせる基準線となるように、目視により識別できるように綴織や印刷によって形成することができる
【００３１】
図２は、被験者１０１が心電計測布１０を装着した状態を示す模式図である。被験者１０１が心電計測布１０を装着するときには、心電計測布１０の裏面１０ｂを被験者１０１に対向させ、電極配置部１１を被験者１０１の胸に接触させ、保持部１２を被験者１０１の胴体に巻回し、接続部１６で接続して固定する。
【００３２】
その際に、第１の位置基準部３１が被験者１０１の両側の腋下に当接するようにして位置合わせをする。また、第２の位置基準部３２の基準線が被験者１０１の正中線上にあるように位置合わせをする。
【００３３】
心電計測布１０は、第１の位置基準部３１を被験者１０１の腋下に当接するとともに、第２の位置基準部３２の基準線を被験者１０１の正中線に合わせることにより、被験者１０１に対する位置合わせをすることができる。この位置合わせによって、第３〜８計測電極２１３〜８が標準１２誘導法で規定された胸部電極の位置に所定の位置精度を有して適切に取り付けられる。また、第１、２、９、１０計測電極２１１，２，９，１０も標準１２誘導法で規定された四肢電極に相当するように四肢に近く取り付けられる。
【００３４】
図３は、計測電極２１の一例を示す写真である。この写真は、例えば第１〜１０の計測電極２１１〜１０の一つを示すものであり、ジャカード織機により作製され、略円形の形状になるように、平織の布帛において非導電撚糸中に導電撚糸により形成されたものである。さらに、計測電極２１は、写真には表れていない導電撚糸による導線の配線２３によって端子部２５に接続されている。
【００３５】
第１の実施の形態の心電計測布１０は、被験者１０１の胴体に裏面１０ｂを対向させ、電極配置部１１を胸に接触させ、保持部１２を胴体に巻回して接続部１６で接続し、その際に第１の位置基準部３１を被験者１０１の腋下に当接するとともに、第２の位置基準部３２の基準線を被験者１０１の正中線に合わせることにより、電極配置部１１の計測電極２１を適切な位置に取り付けることができる。
【００３６】
このように第１の実施の形態の心電計測布１０は、標準１２誘導電極法で規定された計測電極２１を被験者１０１の適切な位置に取り付けることが容易にできるようになる。したがって、第１の実施の形態の心電計測布１０は、救急搬送などの救急現場において心電図の電極の適切な取り付けを速やかに行うことを可能とし、ひいては虚血性心疾患の患者の心電図に基づいた診断による救命率の向上に貢献することができる。
【００３７】
また、第１の実施の形態の心電計測布１０は、電極配置部１１及び保持部１２が一枚の布帛に一体として構成されたものであるため、通常の布帛と同様に洗濯することができる。したがって、第１の実施の形態の心電計測布１０は再使用を繰り返すことができ、心電計測布１０の運用コストを低減することができる。
【００３８】
また、被験者１０１の皮膚からの発汗を速やかに吸収すると共に、熱の移動を抑制して皮膚の保温を可能にする。したがって、被験者１０１に着心地がよく、長期間の装着も負担を掛けることなく快適に継続することができる。また、計測電極２１は被験者１０１の発汗に関わらず、安定した電気的接続を確保することができる。
【００３９】
さらに、第１の実施の形態の心電計測布１０は、平織の布帛に形成されたものであり、形態安定性を高め、布帛でありながら電極の位置関係が布の伸縮によって大幅に代わることがない構造としている。
【００４０】
さらにまた、第１の実施の形態の心電計測布１０は、非導電撚糸の布帛の中に導電撚糸による計測電極２１及び配線２３が折り込まれ、導電撚糸は非導電撚糸により適度に電気的に遮蔽されている。したがって、外部からのノイズなどの影響が抑制され、計測電極２１からの微弱な生体信号を的確に捉えることができる。
【００４１】
第１の実施の形態の心電計測布１０は、西陣織の技術によりジャカード織機を用いた綴れ織りにより導電撚糸及び非導電撚糸を用いて平織に作製したものである。ジャカード織機の製造工程を利用することによって、様々な体のサイズに合わせた多品種少量製品を工業的に安定して逓増することができる。
【００４２】
なお、本発明はこれにジャガード織機を用いた平織に限られない。綾織、朱子織など他の織物組織を使用することもできる。また、導電撚糸及び非導電撚糸に限られず、導電性糸及び非導電性糸を使用することもできる。
【００４３】
第１の実施の形態において、導電撚糸に銀メッキ繊維を使用したが、本発明はこれに限られない。導電撚糸は、例えば、金、銀、銅、ステンレス等の金属繊維、カーボン、チタン、アルミナなどの無機繊維、ポリアニリン、ポリアセチレン等の導電性ポリマー、硫化銅及びニッケルを含有したアクリル、ナイロン又はポリエステル繊維などから作製することができる。
【００４４】
第１の実施の形態において、非導電撚糸にはポリエステルまたはレーヨン繊維を使用したが、本発明はこれに限られない。非導電撚糸は、例えば、綿、絹、アクリル、ナイロン繊維などから作製することができる。
【００４５】
第１の実施の形態において、銀メッキ繊維による導電撚糸は直径１００μｍ、ポリエステルまたはレーヨンによる非導電撚糸は５０〜５００デニールとしたが、本発明はこれに限られない。銀メッキ繊維による導電撚糸は直径２０μｍ〜２４０μｍ、ポリエステルまたはレーヨンによる非導電撚糸は５０〜１０００デニールの範囲とすることができる。
【００４６】
図３の写真で示した計測電極は略円形の形状であったが、本発明はこれに限られない。例えば、矩形、正方形、楕円形、同心円等の各種の所望の形状にすることができる。
【００４７】
第１の実施の形態の接続部１６は、第１の平面ファスナー１８及び第２の平面ファスナー１９で形成したが、本発明はこれに限られない。接続部１６は、平面ファスナー以外に、例えば、ボタン、フック、線ファスナーによっても構成することができる。
【００４８】
第１の実施の形態においては標準１２誘導電極法による１２誘導心電図を用いたが、本発明はこれに限られず、他の方式の心電計を利用することもできる。
【００４９】
（変形例）
図４は、変形例の心電計測布１０の構成を示す図である。変形例の心電計測布１０は、第１の実施の形態のように一端と他端が開いた一枚の布帛ではなく、一枚の筒状に形成された布帛により形成された点において第１の実施の形態と相違している
【００５０】
詳しくは、第１の実施の形態の心電計測布１０は、一端と他端が接続部１６で着脱可能に接続されるものであったが、変形例の心電計測布１０は最初から筒状に形成され、接続部１６は存在しない。変形例の心電計測布１０において、他の構成は第１の実施の形態の心電計測布１０と同様であるため、同一の符号により対応する構成要素を示すことにする。
【００５１】
変形例の心電計測布１０は、伸縮することができる弾力性のある柔軟な布帛により作製され、被験者１０１の胴体を筒状の形状の内部に収めた状態で裏面１０ｂが被験者の胴体に密着するようになされている。被験者１０１がこの心電計測布１０を装着するときには、第１の位置基準部３１を腋下に当接するとともに、第２の位置基準部３２の基準線を正中線に合わせることにより位置決めを行い、第１〜１０計測電極２１１〜１０を胸部の所定の位置に所定の位置精度で取り付けることを可能にしている。
【００５２】
変形例の心電計測布１０は、前述のように着心地がよく、被験者が長期間にわたり快適に装着することができるため下着と同様に常時装着して使用ができるいわば心電下着であるといえる。また、前述のように、心電計測布１０は、下着のように洗濯することにより繰り返し再利用することができるため、運用コストが低減される。
【００５３】
また、変形例の心電計測布１０は、前述のように、第１の位置基準部３１を被験者の腋下に当接するとともに、第２の位置基準部３２の基準線を正中線に合わせることにより、電極配置部１１の第１〜１０計測電極２１１〜１０を被験者１０１に所定の位置精度で適切に取り付けることができる。したがって、被験者１０１は、他人の助けを借りることなく独力で心電図の計測電極２１を適切に取り付けることができる。
【００５４】
さらに、変形例の心電計測布１０は、表面１０ａの所定の位置にポケット４１を設けることができる。ポケット４１には、被験者１０１が所望の物品を格納することができ、被験者１０１の利便性を向上させることができる。また、携帯型の心電計、運動量計などを格納することにより、心電計測布１０との協働を図ることもできる。
【００５５】
（第２の実施の形態）
第２の実施の形態においては、被験者に装着して心電図を計測するための計測電極を提供し、複数の計測電極を所定の位置に配置する電極配置部を含み、電極配置部は一枚の布帛に含まれ、複数の計測電極は導電性糸により形成されている。
【００５６】
図５は、第２の実施の形態の心電計測布１０の構成を示す正面図である。第２の実施の形態の心電計測布１０は、電極配置部１１を含む心電計測布１０の前見頃に相当する部分に、心電計測布１０を被験者に固定するための第１〜４ベルト５１〜５４等が設けられてなる点において第１の実施の形態と相違している。他の構成は、第１の実施の形態と同様であるので、同様の符号により対応する構成要素を示すことにする。
【００５７】
図６は、第２の実施の形態の心電計測布１０を示す写真である。図６（ａ）は第２の実施の形態の心電計測布１０の正面写真であり、図６（ｂ）は第２の実施の形態の心電計測布１０の背面写真であり、図６（ｃ）は被験者が第２の実施の形態の心電計測布を装着した状態を示す写真である。
【００５８】
図６（ａ）及び図６（ｂ）においては、第１〜４ベルト５１〜５４が心電計測布１０の裏面１０ｂ側に巻回され、それぞれの端部が表面１０ａの所定の位置に接続された状態を示している。
【００５９】
詳しくは、心電計測布１０の右端の中央よりやや下付近に取り付けられた第１ベルト５１の端部付近の裏面に形成された第１の平面ファスナー５１ａは、心電計測布１０の表面１０ａの左端中央よりやや下側付近に形成された第２の平面ファスナー５１ｂに着脱可能に接続することができる。心電計測布１０の左端の中央よりやや下付近に取り付けられた第２ベルトの端部付近の裏面に形成された第１の平面ファスナー５２ａは、心電計測布１０の表面１０ａの右端中央やや下側付近に形成された第２の平面ファスナー５２ｂに着脱可能に接続することができる。
【００６０】
また、心電計測布１０の上端に取り付けられた第３ベルト５３と第４のベルト５４の端部付近の裏面にそれぞれ形成された第１の平面ファスナー５３ａ、５４ａは、心電計測布１０の表面１０ａのそれぞれ左端と右端の略中央付近に形成された第２の平面ファスナー５３ｂ、５４ｂに着脱可能に接続することができる。
【００６１】
図６（ｃ）に示すように、被験者が心電計測布１０を装着するときには、心電計測布１０の裏面１０ｂを被験者の胸に対向して接触させ、第１〜４ベルト５１〜５４を被験者の胴体に巻回し、第１〜４ベルト５１〜５４ベルトの第１の平面ファスナー５１ａ〜５４ａを心電計測布１０の表面１０ａに形成された第２の平面ファスナー５１ｂ〜５４ｂに接続して固定する。
【００６２】
その際に、この心電計測布１０に設けられた図示しない第１の位置基準部と被験者１０１の所定部分を用いて位置合わせをするとともに、心電計測布１０の表面１０ａの表面を上端から下端まで伸びる第２の位置基準部３２の基準線を被験者１０１の正中線に合わせる。例えば、図６（ａ）〜図６（ｃ）の写真には表れていないが、被験者の腋下と当接することによって位置合わせする第１の位置基準部を設けてもよい。
【００６３】
第２の実施の形態の心電計測布１０は、第１の実施の形態と同様の作用効果を奏する他に、前見頃に相当する電極配置部１１と第１〜４ベルト５１〜５４からなり、被験者へのフィット感を高めると共に、救急患者に対しても簡便にかぶせて固定することを可能な構造としている。
【００６４】
また、被験者の胴体の背中側は解放されている。したがって、被験者の胴体に外部から容易にアクセスすることができ、観察や処置に利便を供することができる。また、前見頃の部分の四端から心電計測布１０の裏面１０ｂにも容易にアクセスすることができるため、計測電極２１の観察などの各種の試験にも利便を供することができる。
【産業上の利用可能性】
【００６５】
本発明は、虚血性心疾患の心電計を用いた診断などの医療分野に利用することができる。
【符号の説明】
【００６６】
１０  心電計測布
１１  電極配置部
１２  保持部
１６  接続部
１８、１９  平面ファスナー
２１  計測電極
２３  配線
２５  端子部
３１  第１の位置基準部
３２  第２の位置基準部
【図１】
0006601608.tif 000002
【図２】
0006601608.tif 000003
【図３】
0006601608.tif 000004
【図４】
0006601608.tif 000005
【図５】
0006601608.tif 000006
【図６】
0006601608.tif 000007